(57)【要約】【課題】到来パスタイミング変動に追従し、良好な受信特性を得ることが可能なＣＤＭＡ復調回路を提供する。【解決手段】逆拡散タイミング補正制御部３は相関値差分計算部２２での比較結果に応じて逆拡散タイミング補正候補数を制御する。有効パスタイミング判定部２３は相関値差分計算部２２によって検出された相関ピーク情報を基に有効パスタイミングを判定する。逆拡散部４１−１〜４１−ｎ各々は有効パスタイミング判定部２３から設定されるパスタイミングとそのタイミング前後Ｍ点の逆拡散タイミング補正候補の複数タイミングにて逆拡散を行う。逆拡散タイミング補正部４２−１〜４２−ｎは逆拡散部４１−１〜４１−ｎ各々の逆拡散の結果から逆拡散タイミング補正値を決定し、逆拡散部４１−１〜４１−ｎ各々にフィードバックする。【選択図】　　　図１
2004023575.tif 000002
【特許請求の範囲】
【請求項１】
受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ復調回路であって、前記遅延プロファイルの計算で得られる相関ピーク近傍値に応じて前記逆拡散のタイミング補正を適応的に制御する制御手段を有することを特徴とするＣＤＭＡ復調回路。
【請求項２】
前記制御手段は、前記遅延プロファイルの相関ピーク値とその近傍の相関値とのレベルの差分を計算する相関値差分計算手段と、その結果を用いて前記逆拡散のタイミング補正値候補数を制御する逆拡散タイミング補正制御手段とを含むことを特徴とする請求項１記載のＣＤＭＡ復調回路。
【請求項３】
前記逆拡散タイミング補正制御手段は、前記相関ピーク値と前記近傍の相関値との差分が小さい場合により多数のタイミングにて前記逆拡散のタイミング補正を行うよう制御し、前記相関ピーク値と前記近傍の相関値との差分が大きい場合により少数のタイミングにて前記逆拡散のタイミング補正を行うよう制御することを特徴とする請求項２記載のＣＤＭＡ復調回路。
【請求項４】
前記逆拡散のタイミング補正を行う際の電力レベル閾値が、予め設定された固定値であることを特徴とする請求項１から請求項３のいずれか記載のＣＤＭＡ復調回路。
【請求項５】
前記逆拡散のタイミング補正を行う際の電力レベル閾値が、前記遅延プロファイルの最大相関ピーク値に基づいて決定された値であることを特徴とする請求項１から請求項３のいずれか記載のＣＤＭＡ復調回路。
【請求項６】
前記逆拡散のタイミング補正を行う際の電力レベル閾値が、前記遅延プロファイル各々のピーク値に基づいて決定された値であることを特徴とする請求項１から請求項３のいずれか記載のＣＤＭＡ復調回路。
【請求項７】
前記逆拡散のタイミング補正を行う際の電力レベル閾値が、前記遅延プロファイルの計算で得られる検出ピーク値以外の平均値に基づいて決定された値であることを特徴とする請求項１から請求項３のいずれか記載のＣＤＭＡ復調回路。
【請求項８】
前記制御手段は、前記相関値のレベルの差分結果から適切な逆拡散タイミングがあると思われる方向へ前記逆拡散のタイミング補正を行うよう制御することを特徴とする請求項２から請求項７のいずれか記載のＣＤＭＡ復調回路。
【請求項９】
前記制御手段は、前記遅延プロファイルの計算で得られる相関値位置によって明確なピークかどうかの判断を行い、その判断結果に応じて前記逆拡散のタイミング補正を行うよう制御することを特徴とする請求項１記載のＣＤＭＡ復調回路。
【請求項１０】
受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ移動体通信復調方法であって、前記遅延プロファイルの計算で得られる相関ピーク近傍値に応じて前記逆拡散のタイミング補正を適応的に制御することを特徴とするＣＤＭＡ移動体通信復調方法。
【請求項１１】
前記遅延プロファイルの相関ピーク値とその近傍の相関値とのレベルの差分を計算するステップと、その結果を用いて前記逆拡散のタイミング補正値候補数を制御するステップとを含むことを特徴とする請求項１０記載のＣＤＭＡ移動体通信復調方法。
【請求項１２】
前記逆拡散のタイミング補正値候補数を制御するステップは、前記相関ピーク値と前記近傍の相関値との差分が小さい場合により多数のタイミングにて前記逆拡散のタイミング補正を行うよう制御し、前記相関ピーク値と前記近傍の相関値との差分が大きい場合により少数のタイミングにて前記逆拡散のタイミング補正を行うよう制御することを特徴とする請求項１１記載のＣＤＭＡ移動体通信復調方法。
【請求項１３】
前記逆拡散のタイミング補正を行う際の電力レベル閾値が、予め設定された固定値であることを特徴とする請求項１０から請求項１２のいずれか記載のＣＤＭＡ移動体通信復調方法。
【請求項１４】
前記逆拡散のタイミング補正を行う際の電力レベル閾値が、前記遅延プロファイルの最大相関ピーク値に基づいて決定された値であることを特徴とする請求項１０から請求項１２のいずれか記載のＣＤＭＡ移動体通信復調方法。
【請求項１５】
前記逆拡散のタイミング補正を行う際の電力レベル閾値が、前記遅延プロファイル各々のピーク値に基づいて決定された値であることを特徴とする請求項１０から請求項１２のいずれか記載のＣＤＭＡ移動体通信復調方法。
【請求項１６】
前記逆拡散のタイミング補正を行う際の電力レベル閾値が、前記遅延プロファイルの計算で得られる検出ピーク値以外の平均値に基づいて決定された値であることを特徴とする請求項１０から請求項１２のいずれか記載のＣＤＭＡ移動体通信復調方法。
【請求項１７】
前記相関値のレベルの差分結果から適切な逆拡散タイミングがあると思われる方向へ前記逆拡散のタイミング補正を行うよう制御することを特徴とする請求項１１から請求項１６のいずれか記載のＣＤＭＡ移動体通信復調方法。
【請求項１８】
前記遅延プロファイルの計算で得られる相関値位置によって明確なピークかどうかの判断を行い、その判断結果に応じて前記逆拡散のタイミング補正を行うよう制御することを特徴とする請求項１０記載のＣＤＭＡ移動体通信復調方法。
【請求項１９】
受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ移動体通信復調方法のプログラムであって、コンピュータに、前記遅延プロファイルの相関ピーク値とその近傍の相関値とのレベルの差分を計算する処理と、その結果を用いて前記逆拡散のタイミング補正値候補数を制御する処理とを実行させるためのプログラム。
【発明の詳細な説明】
【０００１】
【発明の属する技術分野】
本発明はＣＤＭＡ復調回路及びそれに用いるＣＤＭＡ移動体通信復調方法並びにそのプログラムに関し、特にＣＤＭＡ（Ｃｏｄｅ　Ｄｉｖｉｓｉｏｎ　Ｍｕｌｔｉｐｌｅ　Ａｃｃｅｓｓ）移動体通信における復調方法に関する。
【０００２】
【従来の技術】
従来、ＣＤＭＡ移動体通信の受信処理においては、受信信号をその受信信号の拡散符号に対して同期した拡散符号レプリカを用いて逆拡散することによって、伝播遅延時間の異なる複数のマルチパス成分に時間分離される。この場合、希望は信号の受信タイミングに同期して拡散符号レプリカで逆拡散する必要があり、各パスの受信タイミングを検出する必要がある。
【０００３】
この受信処理では、情報１シンボル内で拡散符号レプリカのタイミングを１チップずつずらして１シンボル区間にわたり逆拡散して電力遅延プロファイルを生成する。この生成した電力遅延プロファイルから、受信電力の大きなパスから順にレイクフィンガ数分だけ選択してレイク合成用のパスとする。
【０００４】
移動局の移動に伴って、レイク合成すべきパスの位置（遅延時間）が頻繁に変わるため、受信機では一定時間毎に電力遅延プロファイルを更新し、これを基にレイク合成パスも更新する。これはレイク合成のためのパスを探すことであり、パスサーチと呼ばれている。
【０００５】
【発明が解決しようとする課題】
上述したＣＤＭＡ移動体通信の受信処理に用いられる復調回路においては、パスサーチ及びレイク合成によるパスダイバーシチ効果を得ている。移動体通信環境において、受信される電波はマルチパス環境になることが多く、レベル変動及び受信点への到来時間変動を受けており、その激しいパス変動のなかでフィンガ逆拡散タイミングを誤ると、受信特性が劣化する。
【０００６】
そのため、上記の復調回路では、到来パスの中で安定しているパスをサーチし、パス到来時間変動に追従した適切なフィンガ逆拡散タイミング検出処理が望まれている。
【０００７】
そこで、本発明の目的は上記の問題点を解消し、到来パスタイミング変動に追従し、良好な受信特性を得ることができるＣＤＭＡ復調回路及びそれに用いるＣＤＭＡ移動体通信復調方法並びにそのプログラムを提供することにある。
【０００８】
【課題を解決するための手段】
本発明によるＣＤＭＡ復調回路は、受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ復調回路であって、前記遅延プロファイルの計算で得られる相関ピーク近傍値に応じて前記逆拡散のタイミング補正を適応的に制御する制御手段を備えている。
【０００９】
本発明によるＣＤＭＡ移動体通信復調方法は、受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ移動体通信復調方法であって、前記遅延プロファイルの計算で得られる相関ピーク近傍値に応じて前記逆拡散のタイミング補正を適応的に制御している。
【００１０】
本発明によるＣＤＭＡ移動体通信復調方法のプログラムは、受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ移動体通信復調方法のプログラムであって、コンピュータに、前記遅延プロファイルの相関ピーク値とその近傍の相関値とのレベルの差分を計算する処理と、その結果を用いて前記逆拡散のタイミング補正値候補数を制御する処理とを実行させている。
【００１１】
すなわち、本発明のＣＤＭＡ（Ｃｏｄｅ　Ｄｉｖｉｓｉｏｎ　Ｍｕｌｔｉｐｌｅ　Ａｃｃｅｓｓ）復調回路は、フィンガ逆拡散処理において、遅延プロファイル計算で得られる相関ピーク近傍値のレベルに応じてフィンガ逆拡散タイミング補正を適応的に制御することによって、安定したパスを受信して良好な受信特性を実現するものである。
【００１２】
より具体的に説明すると、本発明のＣＤＭＡ復調回路では、相関値差分計算部で遅延プロファイル相関ピーク値とその近傍の相関値との差分を計算し、その結果を用いて逆拡散タイミング補正制御部で逆拡散部の逆拡散タイミング補正値候補数を制御する。
【００１３】
遅延プロファイルに明確な相関ピーク値が存在しない場合、すなわち、相関ピーク値と近傍の相関値との差分が小さい場合には、検出逆拡散タイミングの信頼性が低いと判断し、より多数のタイミングにて逆拡散タイミング補正を行うよう制御する。
【００１４】
遅延プロファイルに明確な相関ピーク値が存在する場合、すなわち、相関ピーク値と近傍の相関値との差分が大きい場合には、検出逆拡散タイミングの信頼性が高いと判断し、より少数のタイミングにて逆拡散タイミング補正を行うよう制御する。
【００１５】
その結果、各パスの受信点到来時間変動を含むマルチパス環境下においても適切な逆拡散タイミングが検出することが可能となり、良好な受信特性を保持することが可能となる。
【００１６】
これによって、本発明では、遅延プロファイル相関値からパスタイミング検出結果の信頼性を監視し、逆拡散タイミング補正処理を制御することによって、パスタイミングが変動した場合においても、逆拡散タイミングを補正して適切なタイミングでの逆拡散処理が可能となるので、到来パスタイミング変動に追従し、良好な受信特性を得ることが可能となる。
【００１７】
また、本発明では、遅延プロファイル相関値からパスタイミング検出結果の信頼性を監視し、不必要な逆拡散タイミング補正を行わないことによって、逆拡散タイミング補正処理による誤検出の影響を軽減することが可能となるので、雑音によるパスタイミング誤検出の影響を軽減し、良好な受信特性を得ることが可能となる。
【００１８】
さらに、本発明では、遅延プロファイル相関値からパスタイミング検出結果の信頼性を監視することによって、不必要な逆拡散タイミング補正を行わないよう制御することが可能となるので、不必要な逆拡散タイミング補正処理を省略することによって、消費電力低減を図ることが可能となる。
【００１９】
【発明の実施の形態】
次に、本発明の実施例について図面を参照して説明する。図１は本発明の一実施例によるＣＤＭＡ（Ｃｏｄｅ　Ｄｉｖｉｓｉｏｎ　Ｍｕｌｔｉｐｌｅ　Ａｃｃｅｓｓ）復調回路の構成を示すブロック図である。図１においては、ＣＤＭＡ復調回路１の一般的なフィンガ／　レイクを用いた復調方式に対応した構成を示している。
【００２０】
ＣＤＭＡ復調回路１はパスサーチ処理部２と、逆拡散タイミング補正制御部３と、フィンガ部４と、レイク合成部５と、受信データデコード処理部６と、記録媒体７とから構成され、パスサーチ処理部２は遅延プロファイル計算部２１と、相関値差分計算部２２と、パスタイミング判定部２３とを備え、フィンガ部４は逆拡散部４１−１〜４１−ｎと、逆拡散タイミング補正部４２−１〜４２−ｎとを備えている。また、記録媒体７にはＣＤＭＡ復調回路１の処理をコンピュータ（図示せず）で実現する際にそのコンピュータで実行されるプログラムが格納されている。
【００２１】
遅延プロファイル計算部２１は直交検波されて復調されたＩ成分信号及びＱ成分信号各々が入力されると、それらの信号を基に遅延プロファイルを計算する。相関値差分計算部２２は遅延プロファイル計算部１で計算された遅延プロファイルから相関ピーク値及びタイミングを検出するとともに、ピーク値とピーク値近傍の相関値との比較を行う。逆拡散タイミング補正制御部３は相関値差分計算部２２での比較結果に応じて逆拡散タイミング補正候補数を制御する。
【００２２】
また、有効パスタイミング判定部２３は相関値差分計算部２２によって検出された相関ピーク情報を基に有効パスタイミングを判定する。フィンガ部４の逆拡散部４１−１〜４１−ｎ各々は有効パスタイミング判定部２３から設定されるパスタイミングとそのタイミング前後Ｍ点の逆拡散タイミング補正候補の複数タイミングにて逆拡散を行う。逆拡散タイミング補正部４２−１〜４２−ｎは逆拡散部４１−１〜４１−ｎ各々の逆拡散の結果から逆拡散タイミング補正値を決定し、逆拡散部４１−１〜４１−ｎ各々にフィードバックする。逆拡散部４１−１〜４１−ｎ各々の逆拡散タイミング補正値にて逆拡散された受信データはレイク合成部５にて合成され、受信データデコード処理部６にて復調される。
【００２３】
逆拡散タイミング補正処理自体は周知の処理であり、移動体通信における受信パス到来時間変動に追従するための技術である。通常、遅延プロファイル計算部２１における遅延プロファイルはパスタイミング誤検出を減少させるため、フェージングによる劣化の平滑化に十分な平均処理を施して検出結果の信頼性を高める。そのため、遅延プロファイル計算に時間が掛かり、タイミング変動に追従できない。
【００２４】
追従性向上のため、逆拡散部４１−１〜４１−ｎでは有効パスタイミング判定部２３から指定される逆拡散タイミングの時間的に前後Ｍ点のタイミングに対して逆拡散を行い、その相関値ピークを再検出することによって逆拡散タイミング補正を行う。但し、補正処理は追従性を重視するため、短時間間隔のデータしか使用することができず、ノイズ等によるパスタイミング誤検出を起しやすい。
【００２５】
本実施例では、逆拡散タイミング補正制御部３によって逆拡散タイミング補正処置を適応的に制御することによって、補正処理によるパスタイミング追従性を保持しつつ、誤検出を減少させることができる。
【００２６】
この図１を参照して本発明の一実施例によるＣＤＭＡ復調回路１の動作について説明する。
【００２７】
遅延プロファイル計算部２１では直交検波されて復調されたＩ成分信号及びＱ成分信号各々が入力されると、受信信号の既知データ部を用いて相関計算を行い、同相加算・電力加算を行うことによって平均処理時間Ｔ１で平均化された遅延プロファイルを作成する。
【００２８】
相関値差分計算部部２２では遅延プロファイル計算部２１で作成された遅延プロファイルのピークサーチを行うとともに、相関ピークレベルとそのピーク値近傍２ｘサンプルの相関レベルとの差分を計算する。相関値差分計算部部２２にて検出された相関ピークレベル及びピークタイミングは有効パスタイミング判定部２３に入力され、それらを基にレベル閾値及び保護段数を考慮して有効パスタイミングが判定される。
【００２９】
逆拡散部４１−１〜４１−ｎではその有効パスタイミング及びその前後Ｍ点のタイミングにて受信信号の既知データ部の逆拡散を行う。逆拡散タイミング判定部４２−１〜４２−ｎでは逆拡散部４１−１〜４１−ｎの出力であるＭ＋１点の平均処理時間Ｔ２（＜Ｔ１）で平均化された相関値から再度ピーク検出を行い、最大ピーク検出タイミングを補正逆拡散タイミングとして逆拡散部４１−１〜４１−ｎにフィードバックする。逆拡散タイミング補正処理はＴ１＞Ｔ２とすることで、到来パスタイミング変動への追従性を高めている。
【００３０】
補正逆拡散タイミングで逆拡散された受信信号はレイク合成部５でパスダイバーシチ効果を得るために合成され、レイク合成後、受信データは受信データデコード処理部６にてデコードされる。
【００３１】
本実施例では、相関値差分計算部２２で計算されたピーク値とピーク値近傍の相関値との差分情報を逆拡散タイミング補正制御部３に入力し、逆拡散タイミング補正制御部３でその差分情報を基に逆拡散部４１−１〜４１−ｎにおける逆拡散タイミング補正候補数ＭをＭ±Ｎ（Ｍ，Ｎは正の整数）と制御する。
【００３２】
図２（ａ）は安定したパス環境における波形を示す図であり、図２（ｂ）は到来時間の近い複数パス環境における波形を示す図であり、図２（ｃ）は到来時間の変動するパス環境における波形を示す図である。
【００３３】
また、図３（ａ）は明確な相関ピークを検出した場合の波形を示す図であり、図３（ｂ）は明確な相関ピークを検出できない場合の波形を示す図である。これら図２　（ａ）〜（ｃ）及び図３（ａ），（ｂ）を参照して逆拡散タイミング補正制御について説明する。
【００３４】
到来パス時間が安定し、かつ各パスの到来時間が異なっている場合には［図２（ａ）参照］、遅延プロファイルを同相加算・電力平均することによって、ノイズやフェージングによる影響を軽減することができ、明確な各パスの相関値ピークが表れる。そのため、遅延プロファイルピーク検出による有効パスタイミング判定結果が到来パスタイミングと一致している信頼性が高く、最大相関ピーク値とピーク値近傍とのレベル差は大きい。
【００３５】
このような安定したパス環境下において、パス変動追従性を重視した逆拡散タイミング補正処理を行うことは平均化処理の少ない、すなわちノイズ等の影響の大きい相関値ピークを再検出することによってパスタイミング誤検出の要因になり得る。
【００３６】
また、複数パスがほぼ同時刻で到来している環境［図２（ｂ）参照］や移動通信により同一パスの到来時間が変動している環境［図２（ｃ）参照］では遅延プロファイル平均化を行っても各パスの相関値ピーク分離が難しく、明確なピークが表れないため、遅延プロファイルピークタイミングが到来パスタイミングと一致している信頼性が低く、最大相関ピーク値とピーク値付近とのレベル差は小さい。
【００３７】
図２（ｂ）に示す環境では逆拡散タイミング補正処理を行っても明確な相関ピーク検出は困難だが、複数のパスが等レベル及び等タイミングで到来する環境とは見通し伝搬がない複雑な伝搬路環境下であり、到来パスタイミング変動が起こりやすいことが考えられる。そのため、パス追従性が重要となる。図２（ｃ）に示す環境ではパスタイミングが移動しているため、パス追従性の重要性は明白である。
【００３８】
本実施例では、逆拡散タイミング補正制御部３にて遅延プロファイル相関ピーク値とそのピーク近傍の相関値レベルとを比較し、差分が大きい場合に相関ピーク値と到来パスタイミングとが一致している信頼性が高いと判断してタイミング補正候補点を減少させるように制御する［図３（ａ）参照］。
【００３９】
相関ピーク値とその付近の相関値レベルの差分が小さい場合には、相関ピーク値と到来パスタイミングとが一致している信頼性が低いと判断してタイミング補正候補点を増加させるように制御する［図３（ｂ）参照］。
【００４０】
これらの制御によって、パスタイミング誤検出を減少させ、かつパスタイミング変動追従も可能な逆拡散タイミング補正処理を行い、良好な受信特性を実現することができる。
【００４１】
図４は本発明の一実施例によるＣＤＭＡ復調回路１の動作を示すフローチャートである。これら図１と図２（ａ）〜（ｃ）と図４とを参照して本発明の一実施例によるＣＤＭＡ復調回路１における逆拡散タイミング補正制御動作について説明する。尚、図４に示す処理はコンピュータが記録媒体７のプログラムを実行することで実現される。
【００４２】
まず、ＣＤＭＡ復調回路１は平均遅延プロファイルから相関ピーク位置及びレベルＰ＿０を検出し（図４ステップＳ１）、検出したピーク位置を中心に前後ｘ点ずつの相関値レベルＰ＿ｎ（ｎ＝−ｘ〜ｘ；ｎ≠０）に関しても検出する（図４ステップＳ２）。
【００４３】
ＣＤＭＡ復調回路１は検出したＰ＿０とＰ＿ｎのレベル差分ΔＰを計算し（図４ステップＳ３）、補正制御動作を決定するための電力閾値ΔＰ＿ｔｈと比較する（図４ステップＳ４）。
【００４４】
ここで、逆拡散タイミング補正処理を決定するための電力閾値ΔＰ＿ｔｈとしては、予め固定値を決めておく方法、遅延プロファイル最大相関ピーク値に基づいて決定する方法（最大ピーク値よりｘｄＢの値等）、遅延プロファイルの各々のピーク値に基づいて決定する方法（Ｙ回のピークサーチを行ったら、閾値もＹ通りの閾値があり、あるピークＰ０を検出したらＰ０付近の相関値に対する閾値はＰ０のレベルよりｘｄＢの値等）、遅延プロファイル計算で得られる検出ピーク値以外の平均値（干渉レベルあるいは雑音レベルに相当）に基づいて決定する方法（例えば、平均値よりｘｄＢ以上大きい値等）等で設定することができる。
【００４５】
上記の比較結果が、図２（ａ）に示すように、ΔＰ＞ΔＰ＿ｔｈであれば、ＣＤＭＡ復調回路１は検出した相関ピーク位置が明確なピーク値であり、適切な逆拡散タイミングとして信頼性が高いと判断する（図４ステップＳ５）。その後、ＣＤＭＡ復調回路１は逆拡散タイミング補正処理によるタイミング誤検出を削減するため、補正処理を行う候補タイミング数を（Ｍ−Ｎ）点に減少するように逆拡散タイミング補正処理を制御する（図４ステップＳ６）。
【００４６】
これに対し、ＣＤＭＡ復調回路１は、図２（ｂ），（ｃ）に示すように、ステップＳ４にてΔＰ≦ΔＰ＿ｔｈであれば、検出した相関ピーク位置が適切な逆拡散タイミングとして信頼性が低いと判断し（図４ステップＳ７）、逆拡散タイミング補正処理を行う候補タイミング数を（Ｍ＋Ｌ）点（Ｌは正の整数）に増加するように逆拡散タイミング補正処理を制御する（図４ステップＳ８）。
【００４７】
最後に、ＣＤＭＡ復調回路１はピーク検出最大数までピークサーチを行ったかを判断し（図４ステップＳ９）、まだ最大回数のピークサーチを行っていなければ、検出済み相関ピーク位置近傍をマスクし（図４ステップＳ１０）、ステップＳ１に戻って再度相関ピーク検出を開始する。ＣＤＭＡ復調回路１は最大回数のピークサーチを行っていれば、上記の処理を終了する。
【００４８】
このように、本実施例では、遅延プロファイル相関値からパスタイミング検出結果信頼性を監視し、逆拡散タイミング補正処理を制御することによって、パスタイミングが変動した場合においても逆拡散タイミングを補正して適切なタイミングでの逆拡散処理が可能となるので、到来パスタイミング変動に追従し、良好な受信特性を得ることができる。
【００４９】
また、本実施例では、遅延プロファイル相関値からパスタイミング検出結果信頼性を監視し、不必要な逆拡散タイミング補正を行わないことによって、逆拡散タイミング補正処理による誤検出の影響を軽減することが可能となるので、雑音によるパスタイミング誤検出の影響を軽減し、良好な受信特性を得ることができる。
【００５０】
さらに、本実施例では、遅延プロファイル相関値からパスタイミング検出結果信頼性を監視することによって、不必要な逆拡散タイミング補正を行わないよう制御することが可能となるので、不必要な逆拡散タイミング補正処理を省略することで、消費電力低減を図ることができる。
【００５１】
図５は本発明の他の実施例による逆拡散タイミング補正制御を説明するための図である。この図５を参照して本発明の他の実施例による逆拡散タイミング補正制御について説明する。
【００５２】
逆拡散タイミング補正候補点制御として、図３（ａ），（ｂ）では最大相関ピーク位置を中心とした逆拡散タイミング補正候補点の増減について示しているが、相関値差分結果から適切な逆拡散タイミングがあると思われる方向への逆拡散タイミング補正制御が可能である。本発明の他の実施例による逆拡散タイミング補正制御ではこの制御方法をとっており、以下、この制御方法について図５を参照して説明する。
【００５３】
最大相関ピークレベルとピーク付近の相関レベルとの差分を計算した結果、最大相関ピーク位置より時間的に前の相関値とのレベル差分をΔＰ１、時間的に後の相関値とのレベル差分をΔＰ２とする。これらレベル差分ΔＰ１，ΔＰ２各々を補正制御電力閾値ΔＰ＿ｔｈと比較した結果、ΔＰ１＜ΔＰ＿ｔｈかつΔＰ２＞ΔＰ＿ｔｈのような場合には最大相関ピーク位置以前のタイミングに複数パスが到来しているか、またはパスが最大相関ピーク位置以前のタイミングに移動していると判断し、ΔＰ＿ｔｈよりも相関レベル差分がΔＰ＿ｔｈよりも小さい方向へ逆拡散タイミング補正候補数を増加するように制御する。その結果、より効率的な逆拡散タイミング補正制御を実現することができる。
【００５４】
図６（ａ），（ｂ）は本発明の別の実施例による逆拡散タイミング補正制御を説明するための図である。この図６を参照して本発明の別の実施例による逆拡散タイミング補正制御について説明する。ここで、図６（ａ）はピーク相関値位置が遠い場合の波形を示し、図６（ｂ）はピーク相関値位置が近い場合の波形を示している。
【００５５】
相関値レベルではなく、相関値位置によって明確なピークかどうかの判断を行い、逆拡散タイミング補正制御をすることも可能である。本発明の別の実施例による逆拡散タイミング補正制御ではこの制御方法をとっており、以下、この制御方法について図６を参照して説明する。
【００５６】
通常、ＣＤＭＡ移動体通信ではパスダイバーシチ効果を得るために、遅延プロファイルから複数のピーク検出を行い、有効パスと判定したピークタイミングに関してレイク合成を行う。図６は２回ピーク検出を行う場合に関して示している。
【００５７】
図６（ａ）に示すような明確なピークが検出された場合には、ピーク相関値とピーク相関値近傍とのレベル差が大きくなるので、複数のピーク検出を行った際に、最大相関ピークタイミングＴａ１と、２番目の相関ピークタイミングＴａ２とのタイミング差分が大きくなる。
【００５８】
図６（ｂ）に示すような明確なピークが検出されない場合には、ピーク相関値とピーク相関値近傍とのレベル差が小さくなるので、複数のピーク検出を行った際に、最大ピーク相関タイミングＴａ１と、２番目のピーク相関タイミングＴａ２とのタイミング差分が小さくなる。
【００５９】
よって、タイミング差分閾値ΔＴａを設定して（Ｔａ１−Ｔａ２）と比較し、（Ｔａ１−Ｔａ２）＞ΔＴａであれば逆拡散タイミング補正数を減少させ、（Ｔａ１−Ｔａ２）＜ΔＴａであれば逆拡散タイミング補正数を増加するように制御することによって、相関値レベル差分を用いた場合と同様に、逆拡散タイミング補正制御を実現することができる。
【００６０】
【発明の効果】
以上説明したように本発明は、受信信号の既知データ部を用いて相関計算を行って作成された遅延プロファイルのピークサーチを行い、そのピークサーチの結果を基に判定された有効パスタイミングにて前記受信信号の既知データ部の逆拡散を行うＣＤＭＡ復調回路に、遅延プロファイルの計算で得られる相関ピーク近傍値に応じて逆拡散のタイミング補正を適応的に制御することによって、到来パスタイミング変動に追従し、良好な受信特性を得ることができるという効果が得られる。
【図面の簡単な説明】
【図１】本発明の一実施例によるＣＤＭＡ復調回路の構成を示すブロック図である。
【図２】（ａ）は安定したパス環境における波形を示す図、（ｂ）は到来時間の近い複数パス環境における波形を示す図、（ｃ）は到来時間の変動するパス環境における波形を示す図である。
【図３】（ａ）は明確な相関ピークを検出した場合の波形を示す図、（ｂ）は明確な相関ピークを検出できない場合の波形を示す図である。
【図４】本発明の一実施例によるＣＤＭＡ復調回路の動作を示すフローチャートである。
【図５】本発明の他の実施例による逆拡散タイミング補正制御を説明するための図である。
【図６】（ａ），（ｂ）は本発明の別の実施例による逆拡散タイミング補正制御を説明するための図である。
【符号の説明】
１　ＣＤＭＡ復調回路
２　パスサーチ処理部
３　逆拡散タイミング補正制御部
４　フィンガ部
５　レイク合成部
６　受信データデコード処理部
７　記録媒体
２１　遅延プロファイル計算部
２２　相関値差分計算部
２３　パスタイミング判定部
４１−１〜４１−ｎ　逆拡散部
４２−１〜４２−ｎ　逆拡散タイミング補正部
【図１】
2004023575.tif 000003
【図２】
2004023575.tif 000004
【図３】
2004023575.tif 000005
【図４】
2004023575.tif 000006
【図５】
2004023575.tif 000007
【図６】
2004023575.tif 000008